(57)【特許請求の範囲】
【請求項１】
内視鏡の挿入部可撓管を下方に吊り下げた状態で操作部を支持するようにした内視鏡保持装置において、
上記挿入部可撓管の中間部分をループさせた状態にして係合させるための複数の可撓管係合部材が設けられ、
上記可撓管係合部材は外周部に鍔が突出形成された車輪状に形成され、その鍔の背後の部分に沿って上記複数の可撓管係合部材の外周に上記挿入部可撓管の中間部分を係合させることにより、上記挿入部可撓管の中間部分をループした状態で上記複数の可撓管係合部材で支持することができ、
上記複数の可撓管係合部材の中の少なくとも一個の可撓管係合部材が細長いスリットに沿って可動に設けられて、
上記可動に設けられた可撓管係合部材を上記スリットの任意の位置に固定するための手動固定部材が設けられていることを特徴とする内視鏡保持装置。
【請求項２】
上記スリットが、固定的に設けられた支持板に形成されている請求項１記載の内視鏡保持装置。
【請求項３】
上記挿入部の先端部分付近を緩く囲むための挿入部先端保護枠が設けられている請求項１又は２記載の内視鏡保持装置。
【請求項４】
上記内視鏡保持装置が移動自在なカートに取り付けられている請求項１、２又は３記載の内視鏡保持装置。
【発明の詳細な説明】
【０００１】
【発明の属する技術分野】
この発明は、内視鏡の挿入部を吊り下げた状態で操作部を支持するようにした内視鏡保持装置に関する。
【０００２】
【従来の技術】
この種の内視鏡保持装置は、一般に、内視鏡の挿入部可撓管を下方に吊り下げた状態で操作部を支持するようになっている。
【０００３】
そして、挿入部可撓管が長い場合に挿入部可撓管の中間部分をループさせた状態にして係合させるための、一個又は複数の可撓管係合部材が設けられている。
【０００４】
【発明が解決しようとする課題】
しかし、内視鏡の挿入部可撓管の長さ、太さ、硬さ及び曲がり易さ等は機種によって千差万別であり、機種が相違したり新機種が出れば全く異なるものになる。
【０００５】
したがって、機種によっては可撓管係合部材がうまく適合しない場合があり、挿入部可撓管のループが必要以上に大きくなったり逆に小さくなったりして、収納性や可撓管の耐久性等に問題が生じる場合があった。
【０００６】
そこで本発明は、どのような機種の内視鏡であっても、可撓管係合部材の位置を適合させることができて良好な状態で内視鏡を保持することができる内視鏡保持装置を提供することを目的とする。
【０００７】
【課題を解決するための手段】
上記の目的を達成するため、本発明の内視鏡保持装置は、内視鏡の挿入部可撓管を下方に吊り下げた状態で操作部を支持するようにした内視鏡保持装置において、上記挿入部可撓管の中間部分をループさせた状態にして係合させるための一個又は複数の可撓管係合部材が設けられ、その中の少なくとも一個の可撓管係合部材が、位置を変えて固定できることを特徴とする。
【０００８】
なお、上記可撓管係合部材が、スリットに沿って移動可能に配置された車輪状の部材であってもよい。
また、上記挿入部の先端部分付近を緩く囲むための挿入部先端保護枠が設けられていてもよく、上記内視鏡保持装置が移動自在なカートに取り付けられていてもよい。
【０００９】
【発明の実施の形態】
図面を参照して本発明の実施の形態を説明する。
図１は、内視鏡５０と光源装置等を載せて自由に移動することができる内視鏡用カート１を示しており、その底部の四隅には、向きを変えて回転自在な車輪２が取り付けられている。
【００１０】
内視鏡５０の操作部５１を支持するための操作部ハンガー３は、上下方向に伸縮自在なロッド４の上端部に取り付けられてカート１の上端より上方に配置されていて、ロッド４に設けられた締め付けネジ１５を締め付けることにより、その高さが固定される。
【００１１】
操作部ハンガー３には、内視鏡の操作部５１を嵌め込むための溝が形成されていて、そこに操作部５１を差し入れることにより、挿入部可撓管５２が下方に垂れ下がる状態で操作部５１を支持することができる。
【００１２】
操作部ハンガー３のほぼ真下の位置に配置された挿入部先端保護枠６には、操作部５１から垂れ下がる挿入部５２の先端部分５２ａを通す孔が鉛直方向に形成され、そこに通された挿入部５２の先端部分５２ａがふらつかないようになっている。
【００１３】
カート１の側面の支柱１０の外表面には、縦方向に長いスリット１２が形成された支持板１１が取り付けられていて、挿入部５２の中間部分をループさせた状態にして係合させる（引っ掛ける）ための二個の可撓管係合部材１３が、スリット１２に沿って移動可能に取り付けられ、手動固定ナット１４により支持板１１に固定されている。
【００１４】
図２と図３はその部分の構造を示すII−II及びIII−III断面図であり、支持板１１は、両端以外の部分が支柱１０の外表面から浮いた状態に固定されている。そして、支持板１１の裏側からスリット１２に通されたボルト１５が可撓管係合部材１３の中心軸孔に緩く挿通されて、その先端に手動固定ナット１４が螺合している。１６は、ボルト１５の回転を止めるように支持板１１の裏面に沿って形成された回転止め部材である。
【００１５】
したがって、手動固定ナット１４を緩めれば、ボルト１５と共に可撓管係合部材１３をスリット１２に沿って任意の位置に移動させることができ、手動固定ナット１４を締め付ければ、その位置で可撓管係合部材１３を固定することができる。
【００１６】
可撓管係合部材１３は、外側の側面に鍔１３ａが突出形成された車輪状に形成されており、鍔１３ａの後ろの部分に内視鏡５０の挿入部５２を沿わせることにより、図１に示されるように、挿入部５２の中間部分をループさせた状態にして係合させることができる。
【００１７】
このように構成された内視鏡保持装置は、挿入部５２が短い機種の場合には操作部ハンガー３に支持された操作部５１から挿入部５２を単に吊り下げておけばよく、挿入部５２が少し長い場合にはロッド４を延ばせばよい。
【００１８】
しかし、挿入部５２が非常に長い機種の場合や、ロッド４を余り延ばせない使用環境の場合等には、挿入部５２の中間部分をループさせた状態にして可撓管係合部材１３に係合させることになる。
【００１９】
その場合に、挿入部５２の長さ、太さ、硬さ及び曲がりやすさ等に合わせて、二個の可撓管係合部材１３の位置を自由にセットすることができる。したがって、挿入部５２に無理がかからない状態にして最もコンパクトに内視鏡５０を保持することができる。
【００２０】
図４は、本発明の第２の実施の形態の内視鏡保持装置を示しており、支持板１１に取り付けられた可撓管係合部材１３を一個にしたものであり、他の構成は第１の実施の形態と同じである。
【００２１】
このように可撓管係合部材１３が一個の場合でも、その固定位置を移動できるようにすることにより、挿入部５２の中間部分を最適に近い状態にループさせて可撓管係合部材１３に係合させることができる。
【００２２】
なお、本発明は上記実施の形態に限定されるものではなく、一個又は複数の可撓管係合部材１３を設けて、その中の少なくとも一個の可撓管係合部材１３を位置を変えて固定できるようにすればよく、可撓管係合部材１３の移動方向は必ずしも真っ直ぐに縦方向でなくてもよい。また、内視鏡保持装置が移動自在なカートに取り付けられていなくてもよい。
【００２３】
【発明の効果】
本発明によれば、挿入部可撓管の中間部分をループさせた状態にして係合させるための一個又は複数の可撓管係合部材を設け、その中の少なくとも一個の可撓管係合部材を、位置を変えて固定できるようにしたことにより、挿入部可撓管の長さ、太さ、硬さ及び曲がり易さ等が相違するどのような機種の内視鏡であっても、可撓管係合部材の位置を適合させることができて良好な状態で内視鏡を保持することができる。
【図面の簡単な説明】
【図１】本発明の第１の実施の形態の内視鏡保持装置の外観図である。
【図２】本発明の第１の実施の形態の図１におけるII−II断面図である。
【図３】本発明の第１の実施の形態の図１におけるIII−III断面図である。
【図４】本発明の第２の実施の形態の内視鏡保持装置の外観図である。
【符号の説明】
１  カート
３  操作部ハンガー
１１  支持板
１２  スリット
１３  可撓管係合部材
１４  手動固定ナット
１５  ボルト
【図１】
0004394196.tif 000002
【図２】
0004394196.tif 000003
【図３】
0004394196.tif 000004
【図４】
0004394196.tif 000005